【手続補正書】
【提出日】平成24年7月23日(2012.7.23)
【手続補正１】
【補正対象書類名】特許請求の範囲
【補正対象項目名】全文
【補正方法】変更
【補正の内容】
【特許請求の範囲】
【請求項１】
患者の心不全症状を評価する方法において、
前記患者の呼吸の程度を測定するステップと、
前記呼吸の程度に基づいて、心不全症状変化指標をプロセッサによって決定するステップであって、前記指標は、前記患者の心不全症状の変化についての情報を表している、ステップと、
を含んでいることを特徴とする方法。
【請求項２】
前記心不全症状指標の前記決定は、呼吸空気流の程度から決定された呼吸パラメータの閾値比較を含んでいることを特徴とする請求項１に記載の方法。
【請求項３】
前記閾値比較は、急性代償障害を表す前記呼吸パラメータの変化を代表する閾値を含んでいることを特徴とする請求項２に記載の方法。
【請求項４】
前記呼吸パラメータは、無呼吸−呼吸低下指数であることを特徴とする請求項３に記載の方法。
【請求項５】
前記呼吸パラメータは、チェーン・ストークス呼吸パターン指数であることを特徴とする請求項３に記載の方法。
【請求項６】
前記心不全症状変化指標に基づいて、警告を生成するステップをさらに含んでいることを特徴とする請求項２に記載の方法。
【請求項７】
前記警告は、励起光を含んでいることを特徴とする請求項６に記載の方法。
【請求項８】
前記警告は、メッセージを含んでいることを特徴とする請求項６に記載の方法。
【請求項９】
前記心不全症状指標の決定の結果を表すデータを含む電子メッセージを伝送するステップをさらに含んでいることを特徴とする請求項１に記載の方法。
【請求項１０】
前記呼吸空気流の測定中に、呼吸可能な気体を大気圧を超える圧力で前記患者に送達するステップをさらに含んでいることを特徴とする請求項１に記載の方法。
【請求項１１】
前記心不全症状指標の前記決定は、呼吸空気流の前記程度から決定された複数の呼吸パラメータを含む複数の閾値比較を含んでいることを特徴とする請求項１に記載の方法。
【請求項１２】
前記呼吸パラメータは、前記患者の１つまたは複数の無呼吸および呼吸低下を代表するデータ、および前記患者の１つまたは複数のチェーン・ストークスのエポックを代表するデータを含んでいることを特徴とする請求項１１に記載の方法。
【請求項１３】
超音波検出装置によって決定されたデータに基づいて、心不全症状変化指標を決定するステップをさらに含んでいることを特徴とする請求項１に記載の方法。
【請求項１４】
測定された心拍変動の大きさに基づいて、心不全症状変化指標を決定するステップをさらに含んでいることを特徴とする請求項１に記載の方法。
【請求項１５】
交感神経迷走神経バランスの程度に基づいて、心不全症状変化指標を決定するステップをさらに含んでいることを特徴とする請求項１に記載の方法。
【請求項１６】
患者の血液内の気体の程度に基づいて、心不全症状変化指標を決定するステップをさらに含んでいることを特徴とする請求項１に記載の方法。
【請求項１７】
指尖光電脈波から導かれた程度に基づいて、心不全症状変化指標を決定するステップをさらに含んでいることを特徴とする請求項１６に記載の方法。
【請求項１８】
患者を監視し、患者の心不全症状を評価する装置は、
患者インターフェイスと、
患者の呼吸の特性に関連する信号を生成するセンサと、
前記センサに連結されたプロセッサであって、前記プロセッサは、呼吸の前記特性に基づく心不全症状変化指標の決定を制御するように構成されており、前記指標は、前記患者の心不全症状の変化についての情報を表している、プロセッサと、
を備えていることを特徴とする装置。
【請求項１９】
前記プロセッサは、呼吸の前記特性から前記プロセッサによって決定された呼吸パラメータの閾値比較を行うように構成されており、前記比較の結果によって、心不全症状メッセージが発せられるようになっていることを特徴とする請求項１８に記載の装置。
【請求項２０】
前記閾値比較は、急性代償障害を表す前記呼吸パラメータの変化を代表する閾値を含んでいることを特徴とする請求項１９に記載の装置。
【請求項２１】
前記呼吸パラメータは、無呼吸−呼吸低下指数であることを特徴とする請求項２０に記載の装置。
【請求項２２】
前記呼吸パラメータは、チェーン・ストークス呼吸パターン指数であることを特徴とする請求項２０に記載の装置。
【請求項２３】
前記プロセッサは、前記心不全症状変化指標に基づいて、警告を発するようになっていることを特徴とする請求項１９に記載の装置。
【請求項２４】
前記警告は、光信号またはメッセージを含んでいることを特徴とする請求項２３に記載の装置。
【請求項２５】
前記メッセージは、伝送される電子メッセージを含んでいることを特徴とする請求項２３に記載の装置。
【請求項２６】
前記プロセッサに連結された送受信機をさらに備え、前記プロセッサは、前記心不全症状指標を表すデータを含むメッセージの伝送を制御するように、さらに構成されていることを特徴とする請求項１８に記載の装置。
【請求項２７】
前記プロセッサおよび前記患者インターフェイスに連結された流れ発生装置をさらに備え、前記プロセッサは、呼吸可能な気体の流れを大気圧を超える圧力で前記患者インターフェイスに向けて生じさせるのを制御するように、構成されていることを特徴とする請求項１８に記載の装置。
【請求項２８】
前記プロセッサは、呼吸空気流の程度から決定された複数の呼吸パラメータを含む複数の閾値比較によって、前記心不全症状変化指標を決定するように構成されており、呼吸の前記特性は、呼吸空気流の前記程度であることを特徴とする請求項１８に記載の装置。
【請求項２９】
前記呼吸パラメータは、前記患者の１つまたは複数の無呼吸および呼吸低下を代表するデータ、および前記患者の１つまたは複数のチェーン・ストークスのエポックを代表するデータを含んでいることを特徴とする請求項２８に記載の装置。
【請求項３０】
前記プロセッサは、酸素濃度の程度を含む閾値比較によって前記心不全症状変化指標を決定するように構成されており、呼吸の前記特性は、前記酸素濃度の程度であることを特徴とする請求項１８に記載の装置。
【請求項３１】
超音波検出装置をさらに備え、前記プロセッサは、前記超音波検出装置によって測定されたデータに基づいて、心不全症状変化指標を決定するように構成されていることを特徴とする請求項１８に記載の装置。
【請求項３２】
前記プロセッサは、測定された心拍変動の大きさに基づいて、心不全症状変化指標を決定するように構成されていることを特徴とする請求項１８に記載の装置。
【請求項３３】
前記プロセッサは、交感神経迷走神経バランスの程度に基づいて、心不全症状変化指標を決定するように構成されていることを特徴とする請求項１８に記載の装置。
【請求項３４】
前記プロセッサは、患者の血液内気体の程度に基づいて、心不全症状変化指標を決定するように構成されていることを特徴とする請求項８１に記載の装置。
【請求項３５】
気体の前記程度を導く指尖光電脈波をさらに含んでいることを特徴とする請求項３４に記載の装置。
【請求項３６】
患者を監視し、患者の心不全症状を評価する装置において、
前記患者の呼吸特性の程度を測定するセンサ手段と、
前記センサ手段によって生成された前記程度に基づいて、呼吸パラメータを決定する呼吸解析手段と、
少なくとも前記呼吸パラメータを評価し、前記患者のうっ血性心不全症状の変化を表す心不全症状変化指標を生成する解析手段と、
を備えていることを特徴とする装置。